(57)【要約】      （修正有）【課題】蛇腹管の湾曲時に変形し難しくする補助位置合わせ位置決め装置を提供する。【解決手段】位置決め装置２は、ライナー２１、第１限位部材２２及び第２限位部材２３を有し、ライナー２１は、平板状を呈し、且つライナー２１上に位置決め孔２１１を設置し、第１限位部材２２及び第２限位部材２３は、それぞれライナー２１の側面に貫通設置され、且つ位置決め孔２１１は、第１限位部材２２及び第２限位部材２３の間に位置し、第１限位部材２２の側面にライナー２１の側面表面において第１限位部２２１を露出させ、第２限位部材２３の側面は、ライナー２１の側面の表面において第２限位部２３１を露出させ、位置決め装置２を利用して蛇腹管の切開箇所に設置し、ライナー２１に蛇腹管の切開箇所の側面を当接させ、蛇腹管の側面を容易に位置合わせして固定させ、且つライナー２１上に設置した第１限位部材２２及び第２限位部材２３により、蛇腹管内から蛇腹管の切開箇所の構造強度を補強する。【選択図】図１
0003206120.tif 000002
【実用新案登録請求の範囲】
【請求項１】
ライナー、第１限位部材及び第２限位部材を有し、
前記ライナーは、平板状を呈し、
且つ前記ライナー上に位置決め孔を設置し、
前記第１限位部材及び前記第２限位部材は、それぞれ前記ライナーの側面に貫通設置され、且つ前記位置決め孔は、前記第１限位部材及び前記第２限位部材の間に位置し、前記第１限位部材の側面に前記ライナーの側面表面において前記第１限位部を露出させ、前記第２限位部材の側面は、前記ライナーの側面の表面において前記第２限位部を露出させる蛇腹管の補助位置合わせ位置決め装置。
【請求項２】
前記ライナーの側面は、前記位置決め孔下方付近において、横方向に押圧シートを延伸する請求項１に記載の蛇腹管の補助位置合わせ位置決め装置。
【請求項３】
ライナー、第１限位部材、第２限位部材及び位置決め部材を有し、
前記ライナーは、平板状を呈し、
且つ前記ライナー上に位置決め孔を設置し、
前記第１限位部材及び前記第２限位部材は、それぞれ前記ライナーの側面に貫通設置され、且つ前記位置決め孔は、前記第１限位部材及び前記第２限位部材の間に位置し、前記第１限位部材の側面に前記ライナーの側面表面において前記第１限位部を露出させ、前記第２限位部材の側面は、前記ライナーの側面の表面において前記第２限位部を露出させ、前記位置決め部材の側面に固定部を形成し、前記位置決め部材は、前記ライナーの位置決め孔に位置決めされ、２つの前記固定部をそれぞれ前記ライナーの側面の表面に露出させる蛇腹管の補助位置合わせ位置決め装置。
【請求項４】
前記ライナーの側面は、前記位置決め孔下方付近において、横方向に押圧シートを延伸する請求項３に記載の蛇腹管の補助位置合わせ位置決め装置。
【考案の詳細な説明】
【技術分野】
【０００１】
蛇腹管の補助位置合わせ位置決め装置に関し、特に、蛇腹管を切開した後に使用し、蛇腹管の切開された側面を精確に位置合わせ固定し、且つ蛇腹管の湾曲の影響を受けない位置決め装置に関する。
【背景技術】
【０００２】
蛇腹管は、可撓性を有し、且つ水、電気、空調、家具等の設備に広く応用され、例えば、空調設備の管路、回路に使用する配線を被覆し、それに湾曲可能性をもたせ、使用上の美観を高める以外に、更にその被覆物が環境の影響を受けないように保護し、使用寿命を延長し、従って、蛇腹管は、一定時間使用した後、交換を行い、その機能が有効に発揮できるように確保しなければならない。
【０００３】
しかしながら、蛇腹管の交換時、被覆物の二端共に物体が接続されている場合、蛇腹管を切開して再度管路を被覆する必要があり、蛇腹管の構造が破壊を受け、使用者が蛇腹管により管路を被覆して固定を行う時、蛇腹管の切開箇所の側面が位置合わせし難く、且つ蛇腹管の切開箇所が湾曲時に開いて比較的大きな隙間を形成し、蛇腹管の効果が有効に発揮できなくなることを招く。
【０００４】
如何にして切開後の蛇腹管に容易に位置合わせ固定を行わせることができるようにするかは、関連業者が改善を欲する課題である。、
【先行技術文献】
【特許文献】
【０００５】
【特許文献１】特開２００１−１５３２８２号公報
【考案の概要】
【考案が解決しようとする課題】
【０００６】
本考案の目的は、位置決め装置を利用して蛇腹管の切開箇所に設置し、位置決め装置のライナーに蛇腹管の切開箇所の側面を当接させ、蛇腹管の側面を容易に位置合わせして固定させ、且つライナー上に設置した第１限位部材及び第２限位部材により、蛇腹管内から蛇腹管の切開箇所の構造強度を補強し、蛇腹管の湾曲時に変形し難くすることである。
【課題を解決するための手段】
【０００７】
上記目的を達成する為、本考案の位置決め装置は、ライナー、第１限位部材及び第２限位部材を有し、ライナーは、平板状を呈し、且つライナー上に位置決め孔を設置し、第１限位部材及び第２限位部材は、それぞれライナーの側面に貫通設置され、且つ位置決め孔は、第１限位部材及び第２限位部材の間に位置し、第１限位部材の側面にライナーの側面表面において第１限位部を露出させ、第２限位部材の側面は、ライナーの側面の表面において第２限位部を露出させる。
【考案の効果】
【０００８】
上記により、位置決め装置の使用時、複数の位置決め装置を蛇腹管の切開箇所に間隔をおいて設置し、位置決め装置のライナーに蛇腹切開箇所の側面を当接させ、第１限位部材及び第２限位部材が蛇腹管内から蛇腹管切開箇所の構造強度を補強し、更に固定部材を利用して位置決め孔を通過させ、蛇腹管外縁に固定するだけでよい。
【図面の簡単な説明】
【０００９】
【図１】本考案の第１実施例の立体外観図である。
【図２】本考案の第１実施例の蛇腹管に使用した立体外観図である。
【図３】本考案の第１実施例の蛇腹管に使用した断面図である。
【図４】本考案の第１実施例の蛇腹管に使用した立体局部断面図である。
【図５】本考案の第２実施例の立体分解図である。
【図６】本考案の第２実施例の蛇腹管に使用した立体断面分解図である。
【図７】本考案の第２実施例の蛇腹管に使用した立体断面図である。
【図８】本考案の第２実施例の蛇腹管の立体局部断面図である。
【図９】本考案の第３実施例の立体外観図である。
【図１０】本考案の第３実施例の蛇腹管の立体局部断面図である。
【考案を実施するための形態】
【００１０】
図１〜図４に示す第１実施例を参照し、図から分かるように、本考案は、蛇腹管１及び位置決め孔２を有する。
【００１１】
該蛇腹管１表面に間隔を置いて複数の凸リブ１１を設置し、凸リブ１１は、環形状であり、２つの隣り合う凸リブ１１の間に凹溝１２を形成し、蛇腹管１の内壁の凸リブ１１箇所に限位空間１３を形成する。更に、蛇腹管１は、切断溝１４を設け、切開箇所を形成し、切断溝１４は、凸リブ１１及び凹溝１２を貫通する。
【００１２】
該位置決め装置２は、ライナー２１、第１限位部材２２及び第２限位部材２３を有し、ライナー２１は、平板状を呈し、且つライナー２１上に位置決め孔２１１を設け、第１限位部材２２及び第２限位部材２３は、それぞれライナー２１の側面に貫通設置され、且つ位置決め孔２１１は、第１限位部材２２及び第２限位部材２３の間に位置し、第１限位部材２２の側面にライナー２１の側面の表面において、第１限位部２２１を露出させ、第２限位部材２３の側面にライナー２１の側面の表面において、第２限位部２３１を露出させる。
【００１３】
本考案の位置決め装置２の使用時、複数の位置決め装置２を、間隔をおいて蛇腹管１の切開箇所の切断溝１４内に設置し、位置決め装置２のライナー２１の側面の表面に蛇腹管１の切断溝１４の側面を当接させ、第１限位部材２２の２つの第１限位部２２１は、それぞれ切断溝１４の側面の限位空間１３に位置し、第２限位部材２３の２つの第２限位部２３１もそれぞれ切断溝１４の側面の限位空間１３に位置し、且つ第１限位部２２１及び第２限位部２３１は、異なる限位空間１３内に位置し、ライナー２１の位置決め孔２１１を凹溝１２箇所に位置させ、この時、使用者は、固定部材４を使用して位置決め孔２１１を通過させることができ、蛇腹管１の凹溝１２に固定するだけでよい。
【００１４】
上記により、固定部材４（例えば、ロープ、ケーブルタイ）が蛇腹管１外縁に固定される時、切断溝１４の側面は、ライナー２１の側面の表面に当接し、蛇腹管１を容易に固定することができ、且つ蛇腹管１に変形を発生させ難く、並びに第１限位部材２２及び第２限位部材２３により蛇腹管１内部から蛇腹管１の構造を補強し、蛇腹管１の切断溝１４箇所の側面が容易に位置合わせされる以外に、蛇腹管１を湾曲状態時に変形させ難くすることができ、且つ蛇腹管１の切断溝１４箇所に過大な隙間を発生させることがない。更に、本実施例の図面中の蛇腹管１は、多辺形を例とするが、これにより本考案の位置決め装置２の使用を制限するものではなく、位置決め装置２は、同様にその他の形状の蛇腹管１に使用することができる。
【００１５】
図５〜図８を参照し、図から分かるように、本考案の第２実施例の位置決め装置３は、ライナー３１、第１限位部材３２、第２限位部材３３及び位置決め部材３４を有し、ライナー３１は、平板状を呈し、且つライナー３１上に位置決め孔３１１を設置し、第１限位部材３２及び第２限位部材３３は、ライナー３１の側面に設置され、且つ位置決め孔３１１は、第１限位部材３２及び第２限位部材３３の間に位置し、第１限位部材３２の側面に、ライナー３１の側面の表面において、第１限位部３２１を露出させ、第２限位部材３３の側面に、ライナー３１の側面の表面において、第２限位部３３１を露出させ、位置決め部材３４の側面に固定部３４１を形成し、位置決め部材３４は、ライナー３１の位置決め孔３１１内に位置決めされ、２つの固定部３４１をそれぞれライナー３１側面表面に露出させる。
【００１６】
本考案の第２実施例の位置決め装置３の使用時、先ず位置決め部材３４をライナー３１の位置決め孔３１１から取り出し、複数の位置決め装置３を、間隔をおいて蛇腹管１の切開箇所の断面溝１４内に設置し、位置決め装置３のライナー３１の側面の表面に蛇腹管１の切断溝１４の側面を当接させ、第１限位部材３２の２つの第１限位部３２１は、それぞれ切断溝１４の側面の限位空間１３に位置し、第２限位部材３３の２つの第２限位部３３１もそれぞれ切断溝１４の側面の限位空間１３に位置し、且つ第１限位部３２１及び第２限位部３３１は、異なる限位空間１３内に位置し、ライナー３１の位置決め孔３１１を凹溝１２箇所に位置させ、この時、使用者は、位置決め部材３４をライナー３１の位置決め孔３１１内に位置決めし、位置決め部材３４の２つの固定部３４１を切断溝１４の側面の凹溝１２内に当接させ、第１限位部材３２、第２限位部材３３及び位置決め部材３４によりライナーを切断溝１４内に位置決めを形成させ、同様に、切断溝１４の側面を利用してライナー３１の側面の表面に当接し、蛇腹管１に変形を発生させ難くし、第１限位部材３２及び第２限位部材３３により蛇腹管１内部から蛇腹管１の構造を補強し、蛇腹管１の切断溝１４箇所の側面が容易に位置合わせされる以外に、蛇腹管１の湾曲状態時に変形を発生させ難くすることもでき、且つ蛇腹管１の切断溝１４箇所に過大な隙間を発生させることがない。更に、図７に示すように、蛇腹管１の外側に更に固定部材４を使用して固定することもできる。
【００１７】
図９及び図１０を参照し、図から分かるように、本考案の第３実施例及び前記第１実施例の差異は、以下にある。該位置決め装置５のライナー５１の側面は、位置決め孔５１１下方付近に横向きに押圧シート５１２を延伸し、第１限位部材５２の２つの第１限位部５２１をそれぞれ切断溝１４の側面の限位空間１３に位置させ、第２限位部材５３の２つの第２限位部５３１もそれぞれ切断溝１４側面の限位空間１３に位置させる時、２つの押圧シート５１２は、それぞれ切断溝１４の側面の凹溝１２内に位置し、第１限位部材５２、第２限位部材５３が異なる限位空間１３に位置することにより、使用者が固定部材４を使用して位置決め孔５１１を通過させ、蛇腹管１の凹溝１２に固定することに便利であり、即ち、第１限位部材５２、第２限位部材５３及び押圧シート５１２を利用し、蛇腹管１の切断溝１４の側面を挿入方式で第１限位部材５２及び押圧シート５１２の間に進入させ、第２限位部材５３及び押圧シート５１２の間で位置決めを軽視し、使用者の使用に便利である効果を達成する。
【００１８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１９】
１  蛇腹管
１１  凸リブ
１２  凹溝
１３  限位空間
１４  切断溝
２  位置決め装置
２１  ライナー
２１１  位置決め孔
２２  第１限位部材
２２１  第１限位部
２３  第２限位部材
２３１  第２限位部
３  位置決め装置
３１  ライナー
３１１  位置決め孔
３２  第１限位部材
３２１  第１限位部
３３  第２限位部材
３３１  第２限位部
３４  位置決め部材
３４１  固定部
４  固定部材
５  位置決め装置
５１  ライナー
５１１  位置決め孔
５１２  押圧シート
５２  第１限位部材
５２１  第１限位部
５３  第２限位部材
５３１  第２限位部
【図１】
0003206120.tif 000003
【図２】
0003206120.tif 000004
【図３】
0003206120.tif 000005
【図４】
0003206120.tif 000006
【図５】
0003206120.tif 000007
【図６】
0003206120.tif 000008
【図７】
0003206120.tif 000009
【図８】
0003206120.tif 000010
【図９】
0003206120.tif 000011
【図１０】
0003206120.tif 000012